(57)【特許請求の範囲】
【請求項１】
１つ以上のタバコ産業製品を包装するためのものであって、使用時に開口部を形成する領域を有するバリア材と、前記領域上に位置し、かつ、その領域と少なくとも部分的に重なるタブを有するラベルとを含み、前記タブは、パッケージの第１面と平行にパッケージの第２面の方向へと延びており、及びタブは、パッケージの第１面と第２面が隣接することにより形成される縁部を越えて延びているパッケージ。  
【請求項２】
ラベルは繰り返し封止可能であることを特徴とする請求項１記載のパッケージ。  
【請求項３】
タブは、前記領域と重なるラベル上のある位置でラベルと接合することを特徴とする請求項１または２記載のパッケージ。  
【請求項４】
タブは前記領域と完全に重なることを特徴とする請求項１乃至３いずれか１項記載のパッケージ。  
【請求項５】
タブは永久接着剤でラベルに接合されることを特徴とする請求項１乃至４いずれか１項記載のパッケージ。  
【請求項６】
タブはラベルの少なくとも１つの切り込みによって形成されることを特徴とする請求項１乃至４いずれか１項記載のパッケージ。  
【請求項７】
タブのそれぞれの側の少なくとも１つの切り込みが第１の方向へ延び、第１の方向とは実質的に反対の方向で終わることを特徴とする請求項６記載のパッケージ。  
【請求項８】
ラベルは、２つ以上の層から形成することができ、タブはラベルの全ての層から、あるいは、ラベルを形成する全ての層の数より少ない数のラベルの層から形成されることを特徴とする請求項１乃至７いずれか１項記載のパッケージ。  
【請求項９】
ラベルは、２つ以上の層から形成され、タブはラベルを形成する全ての層の数よりも少ない数のラベルの層から形成され、ラベルの層は接着剤が塗布されていないタブの下側およびラベルに対して平らになるように横にした際にタブ上に位置する層の面を除いて互いに接着されることを特徴とする請求項１乃至８いずれか１項記載のパッケージ。  
【請求項１０】
タブは部分的にあるいは完全に、ラベルに形成された切り込みへと延びるように配置されることを特徴とする請求項１乃至９いずれか１項記載のパッケージ。  
【請求項１１】
切り込み内のラベルの領域は接着剤が塗布されないことを特徴とする請求項１０記載のパッケージ。  
【請求項１２】
ラベルの少なくとも一部がパッケージから取り外し可能であることを特徴とする請求項１乃至１１いずれか１項記載のパッケージ。  
【請求項１３】
ラベルの一部がバリア材に永久的に接合していることを特徴とする請求項１乃至１２いずれか１項記載のパッケージ。  
【請求項１４】
ラベルは、その下面の少なくとも一部に永久粘着剤を含むことを特徴とする請求項１乃至１３いずれか１項記載のパッケージ。  
【請求項１５】
本体、蓋および請求項１乃至１４いずれか１項記載のパッケージを含むタバコ産業製品用容器であって、このパッケージは本体と蓋によって内包され、この蓋は、閉じる際にタブを捕捉し、折り曲げるように配されている容器。  
【請求項１６】
パッケージの製造方法であって、この方法は、ラベルの切り込みからタブを形成する工程及びラベルをバリア材に接着する工程を含み、このラベルは、使用時に開口部を形成し、その上にラベルが配される領域にタブが少なくとも部分的に重なるように配置されており、前記タブは、パッケージの第１面と平行にパッケージの第２面の方向へと延びており、及びタブは、パッケージの第１面と第２面が隣接することにより形成される縁部を越えて延びている方法。  
【発明の詳細な説明】
【技術分野】
【０００１】
本発明は、タバコ産業製品用パッケージ、特に、タブを有するラベルを含むパッケージに関するがこれに限定されるものではない。また、本発明はパッケージの製造方法にも関する。
【背景技術】
【０００２】
紙巻きタバコパックの取り出し口を繰り返し封止するためのラベルを供することは知られており、ラベルを使用する際、使用者が掴めるようこのラベルはプルタブを有する。ラベルは、取り出し口を覆うようにラベルを紙巻きタバコパックに繰り返し封止可能に接着するためにラベルの下面に永久粘着剤が塗布されている。
【発明の概要】
【０００３】
本発明の第１の態様からのいくつかの実施態様では、１つ以上のタバコ産業製品を包装するためのものであって、使用時に開口部を形成する領域を有するバリア材と、その領域上に位置し、かつ、前記領域と少なくとも部分的に重なるタブを有するラベルとを含むパッケージが提供される。
【０００４】
ラベルは繰り返し封止可能である。
【０００５】
タブは、上記領域と重なるラベル上のある位置でラベルと接合させることができる。タブはその領域と完全と重なるように配することができる。タブは、パッケージの第１面と平行に、パッケージの第２面の方向へと延びるように配することができる。タブは、パッケージの第１面と第２面が隣接することにより形成される縁部を越えて延びるように配することができる。
【０００６】
タブは永久接着剤でラベルに接合させることができる。タブはラベルに入れられる少なくとも１つの切り込みにより形成することができる。その少なくともひとつの切り込みはタブの各側面において第１の方向へ延び、第１の方向と実質的に反対方向に終点があってもよい。
【０００７】
ラベルは、２つ以上の層から形成することができ、タブはラベルの全ての層から、あるいは、ラベルを形成する全ての層の数より少ない数のラベルの層から形成することができる。
【０００８】
ラベルの層は接着剤が塗付されていないタブの下側およびラベルに対して平らになるように横にした際にタブ上に位置する層の面を除いて互いに接着することができる。
【０００９】
タブは部分的にあるいは完全に、ラベルに形成された切り込みへと延びるように配置されてもよい。
【００１０】
切り込み内のラベル領域は、接着剤が塗布されない。ラベルの少なくとも一部は、パッケージから着脱可能である、および／またはラベルの一部は永久的にバリア材に接合されている。
【００１１】
ラベルは、その下側の少なくとも一部に永久粘着剤を含んでもよい。
【００１２】
本発明のパッケージは、容器部と容器部にヒンジ式に接続されている蓋で囲んでもよく、この蓋は閉める際にタブを掴んで折り曲げたりするように配されてもよい。
【００１３】
本発明の第２の態様からのいくつかの実施態様では、パッケージの製造方法が提供され、この方法はラベルの切り込みからタブを形成することと、ラベルをバリア材に接着することとを含み、このラベルは、使用時に開口部を形成し、その上にラベルが配される領域にタブが少なくとも部分的に重なるように配置される。
【図面の簡単な説明】
【００１４】
本発明の実施例を添付する図面を参照して、あくまでも例示を目的として以下に説明する。
【図１】ラベルに接着されているタブを含むラベルを有する喫煙品用パッケージの斜視図である。
【図２】複数の層から形成されるラベルを有し、ラベルの前面から上方に延びる少なくとも一つの層から形成されるタブを含む喫煙品用パッケージを収容する容器の斜視図である。
【図３ａ】本明細書中に記載されたパッケージに使用するためのラベルの斜視図であり、このラベルは第１の層及び第２の層から形成されるもので、第１の層の切り込みによって形成された凹部へと平行に延びる第１の層から形成されたタブを含む。
【図３ｂ】本明細書中に記載されたパッケージに使用するためのラベルの斜視図であり、このラベルは第１の層及び第２の層から形成されるもので、ラベルの下方縁部でラベルの幅を横断して延びる第１の層の一部から形成されるタブを含む
【図３ｃ】本明細書中に記載されたパッケージに使用するためのラベルの斜視図であり、このラベルは第１の層及び第２の層から形成されるもので、ラベルの下方縁部でラベルの幅を部分的に横断して延びる第１の層の一部から形成されるタブを含む。
【図３ｄ（ｉ）】本明細書中に記載されたパッケージに使用するためのラベルの斜視図であり、このラベルは第１の層及び第２の層から形成されるもので、第１の層の切り込みによって形成される凹部へと折り返される第２の層の材料から形成されるタブを含む。
【図３ｄ（ｉｉ）】図３ｄ（ｉ）のＡ−Ａ’線に沿った図３ｄ（ｉ）のラベルの略断面図である。
【図３ｅ】本明細書中に記載されたパッケージに使用するためのラベルの斜視図であり、このラベルは第１の層及び第２の層から形成されるもので、第１の層の切り込みによって形成される凹部へ部分的に延びる第１の層から形成されるタブを含む。
【図４】本明細書中で説明するパッケージの形成方法を示すフロー図である。
【発明を実施するための形態】
【００１５】
本発明はタバコ産業製品用パッケージに関する。タバコ産業製品は、タバコ産業において製造または販売されるいかなる物品も意味し、典型的には、ａ）シガレット、シガリロ、シガー、パイプ用または手巻きシガレット用のタバコ（タバコ、タバコ派生物、膨張タバコ、再生タバコ、またはタバコ代替え品をベースにしているかに拘わらない）、ｂ）スナフ、スヌース、ハードタバコ、発熱するが燃焼しない製品などのタバコ、タバコ派生物、膨張タバコ、再生タバコ、またはタバコ代替え品を導入した非喫煙製品、ｃ）吸入器、錠剤、ガムなどのその他のニコチン送出手段を含む。このリストは限定を意図するものではなく、タバコ産業において製造または販売される製品の種類を単に例示したに過ぎない。
【００１６】
本発明は例えば喫煙品用パッケージに関する。本明細書中の「喫煙品」なる用語はタバコ、タバコ派生物、膨張タバコ、再生タバコまたはタバコ代替え品をベースにしているかに関係なく紙巻きタバコ、シガーおよびシガリロなどの喫煙可能な製品および発熱するが燃焼しない製品（即ち、熱を加えることによって、喫煙材を燃焼させずに喫煙材から風味が発せられる製品）なども含む。喫煙品は、喫煙者によって吸い込まれる気体流のためのフィルターと共に供されてもよい。
【００１７】
図１はタバコ産業用製品、本実施例では喫煙品用パッケージ１の斜視図である。パッケージ１は喫煙品を収容するバリア材２を含み、喫煙品を封止梱包する。バリア材２はパッケージの領域４を画定する弱化された線３を有し、この領域は使用時に、喫煙品を取り出す開口部を形成する。
【００１８】
本実施例では、領域４はパッケージ１の頂面１ａおよび前面１ｂ上を延びている。領域４はパッケージ１の１面あるいは２面、３面あるいはそれ以上の面に亘って延びてもよい。弱化された線３は実質的に本実施例では「Ｕ字」であるが、その他の例では完全な輪の形であってもよい。
【００１９】
本実施例では、開口部は領域４に亘って位置するラベル５によって繰り返し封止可能に閉じられている。ラベル５は、バリア材２に接着しているその下面に永久粘着剤を含む。従って、ラベル５は繰り返し封止可能である。
【００２０】
ラベル５にはタブ７が設けられており、このタブは弱化された線３によって画定されている領域４と少なくとも部分的に重なり、本実施例では、領域４と完全に重なっている。タブ７は領域４と重なっているラベル５のある位置でラベル５に接合しているが、代わりに、タブ７は、領域４と重ならないラベル５上のある位置でラベル５に接合していてもよい。
【００２１】
タブ７はユーザーが便利に掴むことができるように配されている。例えば、タブ７は、ユーザーがラベル５を開けるためにタブ７を掴み、喫煙品を取り出すために開口部を露出することができるように配されている。ユーザーによって掴まれるタブ７の外縁部は、本実施例では湾曲していて実質的に半円形を形成するが、実質的に三角形、正方形、楕円形あるいは長方形等の他の形も使用することができる。
【００２２】
パッケージ１は、ヒンジ式蓋付き紙巻きタバコ容器のような例えば固い厚紙製の外部容器（図１では示さず）内に供されるように配置される。使用の際、タブ７を含むラベル５は、一般的に外部容器の蓋のすぐ下に供され、従って、ラベル５の大きさ及びラベル５によって覆われる開口部は、蓋の大きさによって制限される。少なくとも部分的に開口部に重なるようにタブ７を位置決めすることによって、タブ７が開口部に重ならない場合よりも、開口部をより大きくすることが可能である点で有利である。タブ７が少なくとも部分的に開口部に重ならない場合、開口部の最大の大きさは、開口部と蓋を閉じた際に蓋が接する容器本体の外周との間にタブ７のためのスペースを設ける必要性によって制限される。タブ７が少なくとも部分的に開口部に重なる場合は、開口部のサイズの最大値は増大し、一方でタブ７も、ユーザーがより簡単に掴むことができるほど十分に大きくなる。
【００２３】
タブ７は、閉じた蓋により完全に覆われず、閉じた蓋の縁部からタブ７が所定の長さ分、延びるように位置するようにすることができる。これらの場合、開口部に部分的に重なるようにタブ７を配置することでタブ７をより大きくし、よってタブ７が開口部に重ならない場合より、ユーザーがより簡単に掴むことを可能にするという点で有利である。
【００２４】
従って、図１の例では、少なくとも部分的に開口部に重なるようにタブ７を配置することによって、有利に開口部及びタブ７を大きくし、それでもタブ７が外部容器の閉じた蓋によって完全に覆われ、パッケージ１からタバコ製品を簡単に取り出すことができる。
【００２５】
ラベル５は、フラップの形をしていて、このフラップは、バリア材２に永久的に接着されたパッケージ１の後面１ｃ上へと延びる部分（図示せず）を有する。ラベル５は永久粘着剤を有し、この粘着剤はラベル５のその下面の残りの部分を覆い、領域４内でラベル５をバリア材２に永久的に接着し、領域４の外方へと延びたラベル５の部分においては、ラベル５はバリア材２に着脱できるように貼り付けられ、領域４の周囲を封止する。本発明の別の実施例では、ラベル５は永久粘着剤ではなく、バリア材２の領域４へラベル５を接合する永久接着剤を有してもよい。さらに、ラベル５の全てまたは一部は、バリア材２から一緒に取り去ることができてもよく、例えば、一部を取り去ることができるようにラベル５を横断してミシン目線を設ける、あるいは、ラベル５を全て取り去ることができるようにバリア材２にラベル５を接着するための永久粘着剤のみを使用したりしてもよい。
【００２６】
タブ７はパッケージ１の前面１ｂと重なるラベル５の部分から延び、パッケージ１の頂面１ａと重なるラベル５の部分の方向へ突出する。代わりに、タブ７はパッケージのある第１の面と重なるラベル５の部分から延びてもよく、いかなる方向にも、すなわち、パッケージ１のある第２の面の方向へと突出してもよい。例えば、タブ７はパッケージ１の頂面１ａと重なるラベル５の部分から延びてもよく、パッケージ１の前面１ｂと重なるラベル５の部分へと延びてもよい。タブ７は、ラベル５のいかなる部分から延びてもよいし、ラベル６のいかなる他の部分へと突出してもよい。
【００２７】
本実施例では、タブ７は、パッケージ１の隣接する頂面１ａおよび前面１ｂの境界線から形成される縁部１１を越えて延びる。タブ７の後部の一部が、タブ７を掴むために前方へと引っ張ることができるように露出されるので、これによりタブ７は、縁部１１を超えて延びていない場合よりも、より容易に掴むことができる。これとは別にタブ７は、隣接する前面１ｂと頂面１ａから形成される縁部１１と当接したり、縁部１１に到達する前に終わってもよい。タブ７は、ラベル５が配置されたパッケージ１のあらゆる２つの隣接する第１および第２の面から形成される縁部を越えて延びる、縁部に接する、あるいは縁部に接する前に終わってもよい。
【００２８】
本実施例では、タブ７は最初はラベル５から独立していて、永久接着剤によってラベル５に接着される。永久接着剤は、タブ７の下面の下位部７ａに塗布され、タブ７の長さに沿って延びる。代わりに、タブ７は、タブ７の下面の他の部分に塗布された永久接着剤によってラベル５に接合されてもよい。タブ７および／またはラベル５の外面はロゴや文字が印刷されてもよい。ユーザーが掴むタブ７の残りの部分から、永久接着剤でラベル５に接着されるタブ７の下位部７ａを分けるために、刻み線７ｂをタブ７を横断して選択的に付けてもよい。これによって、ユーザーがタブ７を掴む時、前方へとタブ７を引っ張りやすくなる。
【００２９】
バリア材２、ラベル５および／またはタブ７は、金属化プラスチックあるいは、プラスチック／金属ホイルラミネートのような材料から作成されてもよい。バリア材２、ラベル５およびタブ７は、同一の材料あるいは異なる材料から作成してもよい。バリア材２、ラベル５および／またはタブ７は、透明あるいは不透明の材料を含んでもよい。本実施例では、バリア材２、ラベル５およびタブ７は、それぞれ、単一層の材料から形成されている。代わりに、バリア材２、ラベル５および／またはタブ７は、二層以上の材料から形成してもよい。
【００３０】
図２は、喫煙品用パッケージ２１を内包する容器２０の斜視図である。パッケージ２１は、本体２０ａと本体２０ａにヒンジ式に接続された蓋２０ｂを有する容器２０内に位置する。容器２０は、ブランクから形成され、板紙あるいは、類似の折り畳み可能な材料から作製してもよい。容器２０は、セロファンのような取り外し可能な層によって、上包してもよい。
【００３１】
パッケージ２１は図１に記載されたパッケージ１と概ね類似し、類似の特徴部は同じ参照番号で記載する。例えば、パッケージ２１はバリア材２を含み、このバリア材２は、パッケージの領域４を画定する弱化された線３を有し、この線は、図１のパッケージ１と同様の方法で、喫煙品を取り出す際に使用する開口部を作成する。
【００３２】
以下に詳述するように、本実施例では、開口部は、図１のラベル５とは異なるラベル２５によって、繰り返し封止できるように閉じられる。
【００３３】
ラベル２５には弱化された線３によって画定された領域４と完全に重なるタブ２７が設けられている。タブ２７は、領域２７´でラベル２５に接続し、この領域から、パッケージ２１の頂部の方へと上方に延びる。ラベル２５は複数の層から形成され、その層の少なくとも一つの層からタブ２７は形成される。本実施例では、タブ２７は、パッケージ２１の前面２１ｂを越えて延びるラベル２５の部分から上方へと延びる。特に、本実施例では、ラベル２５は、第１層２５ａと第２層２５ｂから作製され、第１層２５ａはラベル２５の外側にあり、第２層２５ｂはパッケージ２１の方に向いたラベル２５の内側にある。タブ２７は第１層２５ａのみに作られた切り込みから形成されるので、タブ２７が前方へ引っ張られる際に、タブ２７の真下に第２層２５ｂの領域が露出する。本実施例では、ラベル２５の第１層２５ａおよび第２層２５ｂは実質的に同じ大きさと形状であり、一方がもう一方を覆うように配される。第１層２５ａおよび第２層２５ｂは、層の間に塗布された接着剤により接着されるが、タブ２７の真下の領域は、タブ２７が第２層２５ｂから引っ張り出すことができるように、接着剤は塗布されていない。
【００３４】
図１のタブ７と同様に、タブ２７はパッケージの正面２１ｂに重なるラベル２５の部分から延び、パッケージ２１の頂面２１ａの方向へ突出するが、図１を参照して説明したものとは別の構成も可能である。
【００３５】
図２の例では、ラベル２５は第１層２５ａと第２層２５ｂから作製され、タブ２７は第１層２５ａのみに作られた切り込みから形成されているが、別の例では、ラベル２５を１つ以上の層から作製することができるし、タブ２７を形成する切り込みは全ての層を通って延びてもよい。このようにすると、タブ２７が前方へ引っ張られると、バリア材２の領域はタブ２７の真下に露出される。タブ２７の真下の領域はラベル２５をバリア材２へ接合するために使用される接着剤が塗布されていなくてもよい。
【００３６】
本実施例では、タブ２７はラベル２５の切り込みから形成される。タブ２７のそれぞれの側にある切り込みは、最初は第１の方向、本実施例では実質的に下方となる容器２０の本体２０ａの方向へと延び、実質的に反対の方向、本実施例では上方となるパッケージ２１の頂面２１ａの方向で、終点となる。図２に示すとおり、切り込みをこのような幾何形状を有するように配置すると、タブ２７を掴んで引っ張る時に、タブ２７の縁部にあるラベル２５がより破れにくくなる。タブ２７を掴んで引っ張ると、タブ２７に隣接する繰り返し封止可能なラベル２５の部分に下方への力が作用する。タブ２７のそれぞれの側の切り込みを、最初は第１の方向へと延び、実質的に反対方向で終点となるように配置すると、繰り返し封止可能なラベル２５の前述の部分に作用する圧力は、ラベル２５の大きい方の部分で分散し、従って、ラベル２５がより破れにくくなる。
【００３７】
容器２０をユーザーが最初に開く前は、蓋２０ｂは、容器本体２０ａ上で閉じており、タブ２７はラベル２５上に折り曲げられていてもよく、蓋２０ｂの前壁２０ｂ（ｉ）によってその位置に保持されている。この最初の状態で、タブ２７の下面は外方へ面していて、タブ２７は容器本体２０ａの方向へと延びる。
【００３８】
最初に喫煙品を取り出す際、ユーザーはタブ２７を表に出すために、蓋２０ｂをまず開ける。畳まれていたタブ２７が元に戻され、パッケージ２１の前面２１ｂから角度を付けて突出する。タブ２７は、パッケージ２１の前面２１ｂから５°から１２０°の間の角度で突出する。例えば、タブ２７は前面２１ｂから約３０°の角度で突出してもよい。
【００３９】
容器を閉じ、パッケージ２１を再封止するために、ユーザーは単に蓋２０ｂを閉めればよい。本実施例では、閉める際に、蓋２０ｂはタブ２７を捕捉し、タブ２７自体を元の折りたたまれた位置に戻るように配されている。蓋２０ｂを閉めると、ラベル２５はバリア材２の方向へと押され、ラベル２５の下面上の永久粘着剤によって、ラベル２５はバリア材に再度接着される。蓋２０ｂの前壁２０ｂ（ｉ）の下方縁部２０ｂ（ii）はタブ２７の下面と係合し、最初の状態になるようにタブ２７を再度折り曲げる。
【００４０】
蓋２０ｂが閉じる際にタブ２７を捕捉し、タブ２７が折れ曲がるように蓋２０ｂが配されることは、容器２０を次回以降開けたときに、タブ２７が元の折り曲げられる前の状態に戻り、パッケージ２１の前壁２１ｂから角度を付けて突出するので有利である。従って、容器が再度開けられる毎に、タブ２７の位置がユーザーにとってわかりやすく示されるので、ラベル２５を開けるためにタブ２７をユーザーが簡単に掴むことができる。
【００４１】
図１の例のように、少なくとも部分的に開口部を覆うようにタブ２７を配置することによって、開口部とタブ２７を大きくすることができ、それでもタブ２７は外部容器の閉じた蓋によって完全に覆われ、従って、パッケージ２０からタバコ製品に容易に触れ、それを取り出すことができる。
【００４２】
容器は、２つの別個の包装体を収容してもよく、それぞれが１包装体分の喫煙品を収容し、それぞれが独立したタブ付きラベルを有してもよい。
【００４３】
図３（ａ）は、本明細書で説明したパッケージと共に使用するための本明細書で説明したラベルの代わりに使用するラベル３０の斜視図である。ラベル３０は、本明細書で説明したように、パッケージに接着される時に、ラベル３０の外側に配置される第１層３０ａと、本明細書で説明したように、パッケージに接着される時に、パッケージに面するラベル３０の内側に配置される第２層３０ｂから形成される。タブ３１は、第１層３０ａの一部から形成され、平らにすると、第１層３０ａの切り込み３２によって形成された凹部の一部に延びる。図３（ａ）のラベル３０の第１層３０ａと第２層３０ｂは、それらの隣接した表面に亘って塗付された接着剤によって一緒に接着されるが、切り込み３２によって囲まれた部分とタブ３１の真下の部分には接着剤は塗布されていない。刻み線のような部分的に切りこみが入った弱化した線３３が、タブ３１がラベル３０の残りの部分と接するタブ３１の縁部に設けられ、このことによってタブ３１を掴む時に、タブ３１が簡単に持ち上がりラベル３０から離れるようになる。上述のように、ラベル３０がパッケージの開口部全体を繰り返し封止する際に使用するための、繰り返し封止可能な永久粘着剤がラベル３０の下面に塗布され供されてもよい。
【００４４】
ラベル３０に形成された凹部へと完全にではなく一部に延びるようなタブ３１を形成することは、ユーザーがタブ３１をより掴みやすくする点で有利であり、ユーザーは凹部の後面に沿ってタブ３１の後ろへと指を滑らせ、タブ３１を持ち上げることができる。
【００４５】
ラベル３０は、上述のパッケージのようにバリア材を含むパッケージを繰り返し封止可能に閉じるために使うことができ、バリア材は弱化した線によって画定された領域を有し、この領域は開口部を形成し、これを介して喫煙品を取り出すことができる。ラベル３０はタブ３１が少なくとも部分的にはこのようなパッケージの領域を覆うように配される。タブ３１は、使用の際に領域４に重なるであろうラベル３０の位置で、ラベル３０に接合される。
【００４６】
本実施例では、タブ３１はラベル３０の切り込みから形成される。タブ３１のそれぞれの側の切り込みは、第１の方向、本実施例では、ラベルの下方縁部の方向へ実質的に下がるように最初は延び、実質的に反対の方向、本実施例では、ラベル３０の上方縁部の方向へと上がる方向で終点となる。図２で示したとおり、この位置関係に切りこみを配することは、図３（ａ）で示したとおり、タブ３１を掴み引っ張る時に、タブ３１の縁部においてラベル３０が破れにくくなる。
【００４７】
図３（ａ）の実施例ではラベル３０は第１層３０ａと第２層３０ｂから形成され、タブ３１と切り込み３２は第１層３０ａのみに作られた少なくともひとつの切り込みから形成されているが、別の例では、ラベル３０は１つ以上の層から形成されてもよく、タブ３１および切り込み３２を形成する少なくとも１つの切り込みは、全ての層を通って延びてもよい。この場合、本明細書で記載されたパッケージと共にラベルが使用され、タブ３１が前方へと引っ張られる時、バリア材２の領域は、タブ３１の真下に露出する。タブ３１の真下にあり切り込み３２の範囲内にある領域は、バリア材２にラベル３０を接着する時に使用される接着剤を塗布しなくてもよい。
【００４８】
図３（ｂ）は、本明細書で説明したパッケージに使用される本明細書で説明したラベルの代わりに使用するラベル４０の斜視図である。ラベル４０は、第１層４０ａと第２層４０ｂから形成され、この第１層４０ａは、本明細書で説明したパッケージへと接着される時に、ラベル４０の外側に位置し、第２層４０ｂは、本明細書で説明したパッケージへと接着される時に、パッケージに面する、ラベル４０の内側に位置する。タブ４１は、ラベル４０の縁部に位置する第１層４０ａの一部から形成され、ラベル４０の幅に亘って延びる。
【００４９】
図３（ｂ）のラベル４０の第１層４０ａと第２層４０ｂは、それらの隣接する表面に亘って塗付された接着剤によって一緒に接着されるが、タブ４１の真下の領域はタブ４１を持ち上げることができるように接着剤が塗布されていない。刻み線のような部分的に切りこみが入った弱化した線が、タブ４１がラベル４０の残りの部分と接するタブ４１の縁部に設けられ、これによりタブ４１を掴んだときに、タブ４１が簡単に持ち上がりラベル４０から離れるようになる。上述のように、ラベル４０がパッケージの開口部全体を繰り返し封止する際に使用するための、繰り返し封止可能な永久粘着剤をラベル４０の下面に設けてもよい。
【００５０】
ラベル４０は、上述の実施例で説明したパッケージのように、バリア材を含むパッケージを繰り返し封止可能なように閉じるために使用され、このバリア材は弱化された線によって画定された領域を有し、この弱化された線は、使用の際、喫煙品を取り出すための開口部を形成する。ラベル４０は、このようなパッケージの領域をタブ４１が少なくとも部分的に覆うように配される。タブ４１は、使用時にラベル４０が領域４に重なるであろう位置で、ラベル４０に接合される。
【００５１】
図３（ｃ）は本明細書で説明したパッケージに使用される本明細書で説明したラベルの代わりに使用されるラベル５０の斜視図である。ラベル５０は、第１層５０ａと第２層５０ｂから形成され、この第１層５０ａは、本明細書で説明したパッケージへと接着される時に、ラベル５０の外側に位置し、第２層５０ｂは、本明細書で説明したパッケージへと接着される時に、パッケージに面する、ラベル５０の内側に位置する。タブ５１は、ラベル５０の縁部に位置する第１層５０ａの一部から形成され、ラベル５０の幅を部分的に亘って延びる。本実施例では、タブ５１は実質的に台形の形状であるが、他の形状であってもよい。タブ５１は第１切り込み５２ａと第２切り込み５２ｂによって形成され、これらの切り込みは第１層５０ａを通り、第２層５０ｂまでは延びていない。
【００５２】
図３（ｃ）のラベル５０の第１層５０ａと第２層５０ｂは、それらの隣接する表面に亘って塗付された接着剤によって一緒に接着されるが、タブ５１の真下の領域はタブ５１を持ち上げることができるように接着剤が塗布されていない。刻み線のような部分的に切りこみが入った弱化した線５３が、タブ５１がラベル５０の残りの部分と接するタブ５１の縁部に設けられ、このことによってタブ５１を掴む時に、タブ５１が簡単に持ち上がりラベル５０から離れるようになる。上述のように、ラベル５０がパッケージの開口部全体を繰り返し封止する際に使用するための、繰り返し封止可能な永久粘着剤をラベル５０の下面に設けてもよい。
【００５３】
ラベル５０は、上述の実施例で説明したパッケージのように、バリア材を含むパッケージを繰り返し封止可能なように閉じるために使用され、このバリア材は弱化された線によって画定された領域を有し、この弱化された線は、使用の際、喫煙品を取り出すための開口部を形成する。ラベル５０は、このようなパッケージの領域をタブ５１が少なくとも部分的に覆うように配される。タブ５１は、使用時にラベル５０が領域４に重なるであろう位置で、ラベル５０に接合する。
【００５４】
図３（ｄ）（ｉ）は本明細書で説明したパッケージに使用される本明細書で説明したラベルの代わりに使用されるラベル６０の斜視図である。ラベル６０は、第１層６０ａと第２層６０ｂから形成され、この第１層６０ａは、本明細書で説明したパッケージへと接着される時に、ラベル６０の外側に位置し、第２層６０ｂは、本明細書で説明したパッケージへと接着される時に、タブ６１を形成する部分を除き、パッケージに面するラベル６０の内側に位置する。タブ６１はラベル６０の幅を部分的に亘って延びる第２層６０ｂの部分から形成され、この部分は折り重ねられ、第１層６０ａに形成された切り込み６２によって形成された凹部へと入る。本実施例では、タブ６１は実質的に台形の形状であるが、他の形状であってもよい。
【００５５】
図３（ｄ）（ii）は、図３（ｄ）（ｉ）のＡ−Ａ’線に沿った図３（ｄ）（ｉ）のタブ６０の略断面図である。図示のとおり、ラベル６０の第２層６０ｂから延びた材料の部分は、折り曲げ線６４に沿って折り曲げられ接着剤６５で領域６６に接着される。刻み線のような弱化された線６３は部分的に切られるなどして、タブ６１が領域６６に接するタブ６１の縁部に供され、このことによって、タブ６１が持ち上がりラベル６０から離れ、掴みやすくなる。
【００５６】
図３（ｄ）（ｉ）のラベル６０の第１層６０ａと第２層６０ｂは、それらの隣接する表面に亘って塗付された接着剤によって一緒に接着されるが、切り込み６２によって囲まれ、タブ６１の真下にある領域はタブ６１を持ち上げることができるように接着剤が塗布されていない。上述のようにラベル６０がパッケージの開口部を繰り返し封止する際に使用するための、繰り返し封止可能な永久粘着剤がラベル６０の下面に供されてもよい。
【００５７】
ラベル６０は、上述のパッケージの例のように、バリア材を含むパッケージを繰り返し封止可能なように閉じるために使用され、このバリア材は弱化された線によって画定された領域を有し、この弱化された線は、使用の際、喫煙品を取り出すための開口部を形成する。ラベル６０は、このようなパッケージの領域をタブ６１が少なくとも部分的に覆うように配される。タブ６１は、使用時にラベル６０が領域４に重なるであろう位置で、ラベル６０に接合する。 
【００５８】
図３（ｅ）は本明細書で説明したパッケージに使用される本明細書で説明したラベルの代わりに使用されるラベル７０の斜視図である。ラベル７０は、第１層７０ａと第２層７０ｂから形成され、この第１層７０ａは、本明細書で説明したパッケージへと接着される時に、ラベル７０の外側に位置し、第２層７０ｂは、本明細書で説明したパッケージへと接着される時に、パッケージに面する、ラベル７０の内側に位置する。タブ７１は、第１層７０ａの一部から形成され、平らにすると、第１層７０ａの切り込み７２によって形成された凹部の一部に延びる。図３（ｅ）のラベル７０の第１層７０ａと第２層７０ｂは、それらの隣接する表面に亘って塗付された接着剤によって一緒に接着されるが、切り込み７２によって囲まれ、タブ７１の真下にある領域は接着剤が塗布されていない。上述のように、ラベル７０がパッケージの開口部を繰り返し封止する際に使用するための、繰り返し封止可能な永久的粘着剤がラベル７０の下面に塗布され供されてもよい。
【００５９】
刻み線のような弱化された線７３は部分的に切られるなどして、タブ７１がラベル７０の残りの部分と接するタブ７１の縁部に供され、このことによって、タブ７１が持ち上がりラベル７０から離れ、掴みやすくなる。
【００６０】
本実施例では、タブ７１はラベル７０の切り込みから形成される。タブ７１のそれぞれの側の切り込みは、ラベル７０の方向へ実質的に下がるように延び、ラベル７０の下方縁部の位置上で終点となる。図３（ｅ）で示したとおり、この位置関係に切りこみを配することによって、タブ７１を掴み引っ張る時に、タブ７１の縁部においてラベル７０が破れにくくなる。
【００６１】
ラベル７０は、上述のパッケージの例のように、バリア材を含むパッケージを繰り返し封止可能なように閉じるために使用され、このバリア材は弱化された線によって画定された領域を有し、この弱化された線は、使用の際、喫煙品を取り出すための開口部を形成する。ラベル７０は、このようなパッケージの領域にタブ７１が少なくとも部分的に重なるように配される。タブ７１は、使用時にラベル７０が領域４と重なるであろう位置で、ラベル７０に接合する。
【００６２】
図１および図２の実施例のように、図３（ａ）〜図３（ｅ）の実施例のタブ３１、４１、５１、６１および７１が、使用時に少なくとも部分的に開口部と重なるように位置することによって、有利に開口部及びタブを大きくし、それでもタブが外部容器の閉じた蓋によって完全に覆われ、パッケージからタバコ製品を簡単に取り出すことができる。
【００６３】
図４は、本発明の実施例に従って、パッケージの製造方法を示すフロー図である。第１工程Ｓ１では、ラベルはタブを有するように形成される。例えば、多層ラミネート材を使用して本明細書で説明したように、１つ以上の層に切り込みを入れてラベルを形成する。第２工程Ｓ２では、ラベルはバリア材に貼り付けられ、このラベルは、タブがバリア材のある領域に少なくとも部分的に重なるように配され、この領域は使用時に、ラベルによって覆われる開口部を形成する。
【００６４】
上述の例では繰り返し封止可能なラベルが開示されているが、別の実施例では繰り返し封止できないラベルを有してもよい。このような例では、少なくともラベルの下面の一部は、バリア材にラベルを接着するための乾式接着剤が塗布されて供されてもよい。最初に、バリア材からラベルが剥がされた後は、乾式接着剤は、その粘着性を失い、ラベルをバリア材に再度接着することはできない。
【００６５】
種々の問題に対処し本技術を発展させるため、本開示全体は種々の実施形態を例示的に示し、その中で特許請求の範囲の発明を実践し、優れたタバコ産業製品用パッケージを提供する。本明細書で説明した利点と特徴は、実施形態の単なる代表的な具体例であって包括的および／または排他的でもない。これら具体例は、特許請求の範囲の特徴の理解を助け、教示するためだけに提示されている。当然だが、本明細書で説明した利点、実施形態、具体例、機能、特徴、構造、および／または他の側面は、本開示を特許請求の範囲で規定されたとおりに制限するものでも、あるいは特許請求の範囲の均等物を制限するものでもなく、本明細書で説明した範囲および／または思想から乖離することなく他の実施形態を利用し、改良を施してもよいと考えるべきである。種々の実施形態は、開示された要素、成分、特徴、部品、工程、手段などの種々の組合せを適切に備えてもよく、あるいはそれらのみで構成されてもよく、あるいは実質的にそれらのみで構成されてもよい。また、本開示には現在特許請求されていないが将来特許請求される可能性がある他の発明も含まれる。
【図１】
0006286585.tif 000002
【図２】
0006286585.tif 000003
【図３（ａ）】
0006286585.tif 000004
【図３（ｂ）】
0006286585.tif 000005
【図３（ｃ）】
0006286585.tif 000006
【図３（ｄ）（ｉ）】
0006286585.tif 000007
【図３（ｄ）（ｉｉ）】
0006286585.tif 000008
【図３（ｅ）】
0006286585.tif 000009
【図４】
0006286585.tif 000010